(57)【要約】【課題】  容易に安定した光学調整が可能な画像読取装置を提供する。【解決手段】  画像が形成された媒体を光学的に検出する検出部と、前記画像の情報を有する光を前記検出部まで案内する光学系とを有し、前記画像を読み取る読取部と、前記読取部を収納するカバーと、前記読取部に結合し、前記カバーが前記読取部を収納した状態で前記光学系を調整する調整部とを有することを特徴とする画像読取装置を提供する。【選択図】      図１
2005167845.tif 000002
【特許請求の範囲】
【請求項１】
画像が形成された媒体を光学的に検出する検出部と、前記画像の情報を有する光を前記検出部まで案内する光学系とを有し、前記画像を読み取る読取部と、
前記読取部を収納するカバーと、
前記読取部に結合し、前記カバーが前記読取部を収納した状態で前記光学系を調整する調整部とを有することを特徴とする画像読取装置。
【請求項２】
前記カバーが前記読取部を収納した状態で、前記検出部の出力を監視する手段を更に有することを特徴とする請求項１記載の画像読取装置。
【請求項３】
前記手段は、前記検出部に接続されると共に前記カバーに取り付けられ、オシロスコープに電気的に接続可能な出力端子を含むことを特徴とする請求項１記載の画像読取装置。
【請求項４】
前記手段は、前記検出部に接続されると共に前記カバーに取り付けられた表示パネルを含むことを特徴とする請求項１記載の画像読取装置。
【請求項５】
前記光学系は光学部材を含み、前記調整部は前記光学部材の位置又は角度を調整することを特徴とする請求項１記載の画像読取装置。
【請求項６】
前記カバーは前記読取部の前記調整部の接続部を部分的に露出可能に収納することを特徴とする請求項１記載の画像読取装置。
【請求項７】
前記光学系は、
前記光を折り曲げるミラーと、
当該折り曲げミラーを固定する固定台とを含み、
前記調整部は、
前記固定台の角度を変化させるレバーと、
前記固定台の角度を調整する調整ビスと、
前記固定台を固定する固定ビスと、
前記調整部のバックラッシュを取り除く与圧ばねとを含むことを特徴とする請求項１乃至６のうちいずれか一項記載の画像読取装置。
【発明の詳細な説明】
【技術分野】
【０００１】
本発明は、一般には、光学的に画像を読み取る画像読取装置に係り、特に、画像読取装置の光学系の調整機構に関する。本発明は、例えば、フィルム等の原稿に形成された画像を読み取るスキャナの光学系調整に好適である。
【背景技術】
【０００２】
従来、画像読取装置の光学系の調整を行う際には、調整工具を用いて調整を行っていた（例えば、特許文献１を参照のこと）。以下、従来の画像読取装置５０の光学系の調整方法を図５乃至８を参照して説明する。ここで、図５は、画像読取装置５０の概略断面図、図６は、画像読取装置５０の光学ユニット５２の上面図である。図７及び図８（ａ）は、光学ユニット５２の調整を説明するための図５及び図６に対応する図であり、図８（ｂ）は、図８（ａ）のＢ−Ｂ断面図である。
【０００３】
装置本体５０の下側にはシート１１を積み重ねて収納するシート保持体２１が設けられ、シート保持体２１の上部には、読み取られたシート１１を受け入れるためのシート受入体５３が設けられている。装置本体５０の内部において、シート１１をシート保持体２１からシート受入体５３に搬送するための搬送機構２０とガイド板５４、５５とが、シート保持体２１とシート受入体５３の間に設けられている。シート受入体５３の奥部には副走査機構５６が設けられ、副走査機構５６の上方には光学ユニット５２が設けられている。
【０００４】
搬送機構２０は、回転しながらシート１１をシート保持体から副走査機構５６に搬送する回転本体３４が回転軸３５を中心として回動自在に設け、回転本体３４には吸盤２５が上下動自在に設けられている。ガイド５４、５５は回転軸３５を中心とする円弧状とされ、所定間隔で平行に配置されている。
【０００５】
副走査機構５６では、搬送機構２０により搬送されたシート１１の前端を受け入れる第１のローラ対５７と、これらの第１のローラ対５７により搬送されたシート１１を受け入れる第２のローラ対５８とが設けられ、例えば、第１のローラ対５７は図示しない駆動モータにより駆動されるようになっている。そして、上部のローラ５７、５８の間には、それらに接触するプーリ５９が介在され、第２のローラ対５８は第１のローラ対５７に従動するように構成されている。プーリ５９の下方には、主走査方向にスリットを有する一対のガイド板６０と、光学ユニット５２に向けた反射カバー６１を有するランプ６２とが上方から順次に設けられている。
【０００６】
光学ユニット５２には、光学基台７０上に、副走査機構５６からの光ビームＬを反射するミラー６３と、このミラー６３からの光ビームを結像させるレンズ６４と、このレンズ６４からの光ビームを受光するＣＣＤ６５とが配置されている。
【０００７】
ミラー６３はミラー保持台６７に不図示のばね部材により保持されており、ミラー保持台６３の両端には一対の回転軸７２が固定され、一対の側板７１のすり割部Ｓを介して回転自在に保持されている。すり割部Ｓに配置された一対の固定ビス７３により、ミラー保持台６７が固定されるようになっている。
【０００８】
ミラー６３の角度は、副走査機構５６からの光ビームが最大量ＣＣＤ６５に入射するように、ＣＣＤ制御ボード６６からの出力波形も監視しながらミラー保持台６７の固定位置を調整することにより決定される。
【０００９】
ミラー６３の角度を調整する際には、画像読取装置５０では、図７及び図８に示すように、カバー５１を取り外して調整工具の取り付ける。調整工具は、ミラー６３の角度調整を行うマイクロヘッド８０と、マイクロヘッド８０を側板７１に固定するための固定板８１と、マイクロヘッド８０のスピンドルの先端に固定された調整ブロック８２と、ミラー保持台６７に固定された調整レバー８３とから構成されており、調整ブロック８２に固定されている平行ピン８４と調整レバー８３の図示しない長穴部が連結されることにより、マイクロヘッド８０の回転に応じてミラー６３の角度が変化するようになっている。また、画像読取装置５０ではＣＣＤ６５の出力波形を監視する為に、ＣＣＤ制御ボード６６上の不図示のＣＣＤ出力部に接続線９２を介してオシロスコープ９１を接続する必要がある。
【特許文献１】特開平０６−１７８０５４号公報
【発明の開示】
【発明が解決しようとする課題】
【００１０】
しかし、調整工具を用いて調整を行って取り外すと、調整工具の自重や調整工具取り付け時の歪み等の影響を受けて光学系に再びずれが発生することがあった。また、装置のメンテナンス時に調整工具とオシロスコープ９１の取り付けのためにカバー５１の一部を外すことは煩雑である。
【００１１】
そこで、本発明は、容易に安定した光学調整が可能な画像読取装置を提供することを例示的目的とする。
【課題を解決するための手段】
【００１２】
本発明の一側面としての画像読取装置は、画像が形成された媒体を光学的に検出する検出部と、前記画像の情報を有する光を前記検出部まで案内する光学系とを有し、前記画像を読み取る読取部と、前記読取部を収納するカバーと、前記読取部に結合し、前記カバーが前記読取部を収納した状態で前記光学系を調整する調整部とを有することを特徴とする。
【００１３】
前記カバーが前記読取部を収納した状態で、前記検出部の出力を監視する手段を更に有することが好ましい。前記手段は、例えば、前記検出部に接続されると共に前記カバーに取り付けられ、オシロスコープに電気的に接続可能な出力端子、若しくは、前記検出部に接続されると共に前記カバーに取り付けられた表示パネルを含む。
【００１４】
前記光学系は光学部材（例えば、ミラーやレンズ）を含み、前記調整部は前記光学部材の位置又は角度を調整することを特徴とする。前記カバーは前記読取部の前記調整部の接続部を部分的に露出可能に収納することが好ましい。
【００１５】
前記光学系は、前記光を折り曲げるミラーと、当該折り曲げミラーを固定する固定台とを含み、前記調整部は、前記固定台の角度を変化させるレバーと、前記固定台の角度を調整する調整ビスと、前記固定台を固定する固定ビスと、前記調整部のバックラッシュを取り除く与圧ばねとを含んでもよい。
【００１６】
本発明の更なる目的又はその他の特徴は、以下、添付図面を参照して説明される好ましい実施形態によって明らかにされるであろう。
【発明の効果】
【００１７】
本発明によれば、容易に安定した光学調整が可能な画像読取装置を提供することができる。
【発明を実施するための最良の形態】
【００１８】
以下、図１乃至図３を参照して、本発明の第一の実施例の画像読取装置１００について説明する。ここで、図１は、画像読取装置１００の概略断面図である。図２（ａ）は、画像読取装置１００の光学ユニット１３０の上面図、図２（ｂ）は図２（ａ）のＡ−Ａ断面図である。画像読取装置１００は、シートＳＨに形成された画像を光学的に読み取る装置であり、シートＳＨを搬送する搬送機構１１０と、シートＳＨを走査する副走査機構１２０と、シートＳＨに形成された画像を読み取る光学ユニット１３０と、光学ユニット１３０の光学系１５０を調整する調整機構１６０とをカバー１０１内に収納する。
【００１９】
装置本体１００の下側にはシートＳＨを積み重ねて収納するシート保持体１０６が設けられ、シート保持体１０６の上部には、読み取られたシートＳＨを受け入れるためのシート受入体１０８が設けられている。装置本体１００の内部には、シートＳＨをシート保持体１０６からシート受入体１０８に搬送するための搬送機構１１０とガイド板１１８、１１９とが、シート保持体１０６とシート受入体１０８との間に設けられている。シート受入体１０８の奥部には副走査機構１２０が設けられ、副走査機構１２０の上方には光学ユニット１３０が設けられている。
【００２０】
搬送機構１１０においては、回転しながらシートＳＨをシート保持体１０６から副走査機構１２０に搬送する回転本体１１２が回転軸１１４を中心として回動自在に設けられ、回転本体１１２には吸盤１１６が上下動自在に設けられている。ガイド１１８、１１９は回転軸１１４を中心とする円弧状とされ、所定間隔で平行に配置されている。
【００２１】
副走査機構１２０では、搬送機構１１０により搬送されたシートＳＨの前端を受け入れる第１のローラ対１２１と、これらの第１のローラ対１２１により搬送されたシートＳＨを受け入れる第２のローラ対１２２とが設けられ、例えば、第１のローラ対１２１は図示しない駆動モータにより駆動されるようになっている。そして、上部のローラ１２１及び１２２の間には、それらに接触するプーリ１２３が介在され、第２のローラ対１２２は第１のローラ対１２１に従動するように構成されている。プーリ１２３の下方には、主走査方向にスリットを有する一対のガイド板１２４と、光学ユニット１３０に向けた反射カバー１２５を有するランプ１２７とが上方から順次に設けられている。
【００２２】
光学ユニット１３０には、光学基台１３１上に、副走査機構１２０からの画像情報を有する光ビームＬを受光してシートＳＨを光学的に検出する検出部１４０と、画像情報を有する光ビームＬを検出部１４０まで案内する光学系１５０とを有する。光学基台１３１の両側には側板１３２が固定されている。
【００２３】
検出部１４０は、ＣＣＤ１４２とＣＣＤ制御ボード１４４とを含む。光学系１５０は、光ビームＬを折り曲げて反射するミラー１５２と、ミラー１５２からの光ビームを結像させるレンズ１５４とを含み、ＣＣＤ１４２はレンズ１５４からの光ビームを受光するように配置されている。ミラー１５２はミラー保持台１５３により保持されており、ミラー保持台１５３の両端には一対の回転軸１５５が固定され、側板１３２のすり割部Ｓを介して回転自在に保持されている。側板１３２のすり割部Ｓに配置された固定ビス１３３によりミラー保持台１５３が固定されるようになっている。
【００２４】
ミラー１５２の角度は、副走査機構１２０からの光ビームＬがＣＣＤ１４２に入射する様にＣＣＤ制御ボード１４４からの出力波形も監視しながらミラー保持台１５３の固定位置を調整することにより決定される。
【００２５】
画像読取装置１００は、ミラー１５２の角度調整用の調整機構１６０を光学ユニット１３０に付加している。調整機構１６０は、開口１３２ａを有する側板１３２の開口１３２ａ上部に取り付けられた調整ビス１６１と、側板１３２の開口１３２ａに設けられ，調整ビス１６１の端部に固定された調整ドラム１６２と、ミラー保持台１５３に固定された調整レバー１６３と、調整レバー１６３に与圧をかける与圧ばね１６４とを含む。調整レバー１６３に固定されているピン１６５と調整ドラム１６２の溝部が摺動自在に連結されることにより、調整ビス１６１の回転に応じてミラー１５２の角度が変化するように構成されている。調整ビス１６１の真上のカバー１０１にはキャップ１０２が取り外し自在に設けられている。これにより、光学系調整時にはキャップ１０２をカバー１０１から外して調整機構１６０を露出し、そこからドライバＤを挿入することにより、カバー１０１を装置１００から取り外すことなく光学系１５０の調整が可能となる。
【００２６】
なお、固定ビス１３３によるミラー保持台１５３の側板１３２に対する固定強度は、調整ビス１６１によるレバー１６３を介して発生するミラー保持台１５３の回転トルクより小さく設定されているために、固定ビス１３３を緩めることなくミラー１５２の角度調整が可能となっている。また、レバー１６３と側板１３２に固定されたピン１３５を連結する与圧ばね１６４により、調整レバー１６３に固定されているピン１６５と調整ドラム１６２との間に生ずるバックラッシュが取り除かれている。
【００２７】
また、画像読取装置１００は、ＣＣＤ制御ボード１４４から出力されるＣＣＤ１４２の出力波形をカバー１０１に設けられた外部出力端子１４６に出力可能に構成している。
【００２８】
以上説明したような構成により、光学系調整時には図３に示すように、カバー１０１のキャップ１０２を外し、そこからドライバＤを挿入することにより、カバー１０１を装置１００から取り外すことなく光学系１５０の調整機構１６０にアクセスが可能となる。また、カバー１０１に設けられた外部出力端子１４６を接続線１７０を介してオシロスコープ１７２を接続することによりＣＣＤ６５の出力波形の監視が可能となる。
【００２９】
以下、図４を参照して、本発明の第一の実施例の画像読取装置１００Ａについて説明する。ここで、図４は、画像読取装置１００Ａの概略断面図である。図４において、図１乃至図３と同一の構成要素には同一の参照符号を付して重複説明は省略する。
【００３０】
画像読取装置１００Ａは、外部出力端子１４６と、接続線１７０及びオシロスコープ１７２を有する代りに、表示パネル１７４を有しており、表示パネル１７４上にＣＣＤ１４２の出力波形が出力される構成としている。光学調整時にはカバー１０１のキャップ１０２を外し、そこから図示しないドライバＤを挿入することによりカバー１０１を装置１００Ａから取り外すことなく光学系１５０の調整機構１６０にアクセスが可能となる。また、カバー１０１に設けられた表示パネル１７４上でＣＣＤ１４２の出力波形の監視が可能となる。
【００３１】
以上説明したように本発明に係わる画像読取装置は、光学調整手段を装置本体に内蔵し、装置外から容易に光学調整手段にアクセス可能な構造としたことにより、装置組立時やメンテナンス時に光学調整を行う際に、装置を分解するといった煩わしさから解放され、容易に光学調整が可能となる。画像読取装置１００は、ＣＣＤ出力波形の外部出力端子１４６を設けることにより、ＣＣＤ出力監視手段の接続が容易に行える。画像読取装置１００ＡはＣＣＤ出力監視手段を装置本体に内蔵することにより、ＣＣＤ出力監視手段の接続が省略され、光学調整の作業性が著しく向上する。
【００３２】
以上、本発明の好ましい実施形態について説明したが、本発明はこれらの実施形態に限定されず、その要旨の範囲内で種々の変更及び変形が可能である。例えば、本実施形態では、ミラー１５２の角度についてのみ説明したが、レンズ１５４の角度や位置、その他の光学部材の位置、角度、姿勢の調整に適用できることはいうまでもない。
【図面の簡単な説明】
【００３３】
【図１】本発明の第１の実施例の画像読取装置の概略断面図である。
【図２】図１に示す画像読取装置の光学ユニットの上面図及び部分断面図である。
【図３】図１に示す画像読取装置の光学ユニットの調整を説明するための概略断面図である。
【図４】本発明の第２の実施例の画像読取装置の概略断面図である。
【図５】従来の画像読取装置の概略断面図である。
【図６】図５に示す画像読取装置の光学ユニットの上面図である。
【図７】図５及び図６に示す光学ユニットの調整を説明するための画像読取装置の概略断面図である。
【図８】図５及び図６に示す光学ユニットの調整を説明するための光学ユニットの上面図及び部分断面図である。
【符号の説明】
【００３４】
１００、１００Ａ              画像読取装置
１０１                        カバー
１０２                        キャップ
１３０                        光学ユニット
１４０                        検出部
１５０                        光学系
１５２                        ミラー
１５３                        ミラー固定台
１５４                        レンズ
１６０                        調整機構
１７０                        接続線
１７２                        オシロスコープ
１７４                        表示パネル
【図２】
2005167845.tif 000003
【図６】
2005167845.tif 000004
【図１】
2005167845.tif 000005
【図３】
2005167845.tif 000006
【図４】
2005167845.tif 000007
【図５】
2005167845.tif 000008
【図７】
2005167845.tif 000009
【図８】
2005167845.tif 000010